(57)【要約】【課題】良好な作業性で既設電話ケーブルに光ファイバ複合電話ケーブルを接続できるとともに、途中で通線が不可能となっても通信手段を確保することができる光ファイバ複合電話ケーブル及び光ファイバ複合電話ケーブル布設方法を提供する。【解決手段】光ファイバ複合電話ケーブル１０は、電話線対である１対の電話線用銅線１１，１２と、１心の光ファイバ心線１３との複合線を備えている。具体的には、シース１４内に、銅線の外側に絶縁被覆を有する１対の電話線用銅線１１，１２と、被覆層を有する単心の光ファイバ心線１３とを撚り合せた４対の電話線光ファイバ心線複合体１５を備えている。また、光ファイバ複合電話ケーブル１０は、光ファイバ心線１３の撚りピッチが電話線用銅線１１，１２の撚りピッチと同じで、光ファイバ心線１３の外径が電話線用銅線１１，１２により形成される外接円Ａ内に収まる寸法に設定されている。【選択図】図１
2011009135.tif 000002
【特許請求の範囲】
【請求項１】
電話線対と光ファイバ心線とを実装する光ファイバ複合電話ケーブルであって、
前記電話線対を形成する１対以上の電話線に、少なくとも１心又は１対の前記光ファイバ心線から成る光ファイバを複合することを特徴とする光ファイバ複合電話ケーブル。
【請求項２】
前記光ファイバ心線の撚りピッチは、前記電話線対の撚りピッチと同じであることを特徴とする請求項１に記載の光ファイバ複合電話ケーブル。
【請求項３】
前記光ファイバ心線の外径は、前記電話線対の外接円内に収まる寸法であることを特徴とする請求項１または２に記載の光ファイバ複合電話ケーブル。
【請求項４】
請求項１〜３のいずれか１項に記載の光ファイバ複合電話ケーブルを、既設電話ケーブルの端末を切断した後に入れ替えることを特徴とする光ファイバ複合電話ケーブルの布設方法。
【請求項５】
請求項４に記載の光ファイバ複合電話ケーブルを、前記既設電話ケーブルの通信が可能な状態で前記既設電話ケーブルに割入れてから、ケーブル入れ替え作業を行うことを特徴とする光ファイバ複合電話ケーブルの布設方法。
【請求項６】
請求項１〜３のいずれか１項に記載の光ファイバ複合電話ケーブルを前記既設電話ケーブルに接続する際に、該光ファイバ複合電話ケーブルに内蔵されている電話線を１心ずつ捻って接続し、該接続部分を絶縁処理して、相互の通信が可能な状態とした上で、ケーブル入れ替え作業を行うことを特徴とする光ファイバ複合電話ケーブルの布設方法。
【発明の詳細な説明】
【技術分野】
【０００１】
本発明は、電話配管に予め配線されている既設電話ケーブルに光ファイバ複合電話ケーブルを接続する光ファイバ複合電話ケーブル及び光ファイバ複合電話ケーブルの布設方法に関する。
【背景技術】
【０００２】
従来の光ファイバ複合電話ケーブル及び光ファイバ複合電話ケーブルの布設方法の一例として、既設の引き込み用配管内に布設されている電話線であるメタルケーブル（銅線）を撤去してから、図９に示すような銅線１０１と光ファイバ１０２を備えた光ファイバ複合電話ケーブル１００をその配管内に布設する布設方法が知られている（例えば、特許文献１参照）。
【０００３】
上記布設方法では、既設の電話線であるメタルケーブルを、複合ケーブル引き込み用の牽引手段として利用し、光ファイバ複合電話ケーブル１００の銅線１０１に、引張り張力が加わるように牽引端末具を取り付けている。
【先行技術文献】
【特許文献】
【０００４】
【特許文献１】特開２００４−２０１４４７号公報
【発明の概要】
【発明が解決しようとする課題】
【０００５】
通常、既設のマンション内に光ケーブルを配線する場合、新規の配線ルートを確保することが難しいため、既設の電話線入り電話配管の空きスペース内に光ケーブルを押し込んで通線する方法が一般的である。しかし、空きスペースは十分でない場合も多く、光ケーブルが通線途中に引っ掛かり、最後まで通線できないケースがあった。
また、キセル配管のように配管が途切れている場合では、この配管の途切れている地点が人手の届かない位置にあると、途切れた地点から先には通線することができなかった。
【０００６】
このような課題を解決するために、上記特許文献１に開示された光ファイバ複合電話ケーブル及び光ファイバ複合電話ケーブルの布設方法が採用されていた。
しかしながら、全てのケースで通線が可能となるわけではなく、配管の潰れなどによる空きスペース不足で通線途中で引っ掛かり、通線を完遂出来ないケースが散見される。その場合、既設の電話ケーブルの通信が不可能となり、光ケーブルの使用も出来なくなるため、通信手段が途絶えてしまうという課題があった。
【０００７】
本発明の目的は、上述した事情に鑑みてなされたものであり、良好な作業性で既設電話ケーブルに光ファイバ複合電話ケーブルを接続できるとともに、途中で通線が不可能となっても通信手段を確保することができる光ファイバ複合電話ケーブル及び光ファイバ複合電話ケーブルの布設方法を提供することにある。
【課題を解決するための手段】
【０００８】
上記課題を解決することができる本発明に係る光ファイバ複合電話ケーブルは、電話線対と光ファイバ心線とを実装する光ファイバ複合電話ケーブルであって、
前記電話線対を形成する１対以上の電話線に、少なくとも１心又は１対の前記光ファイバ心線から成る光ファイバを複合することを特徴としている。
なお、光ファイバ心線とは、同心円状のものに限らず、平型形状のものも含み、光ファイバ以外に、例えばＦＲＰや鋼線を複合した構造も含まれる。
【０００９】
上記構成の光ファイバ複合電話ケーブルによれば、複合された光ファイバ心線が、どの加入者への配線用途のものかを分かり易くすることができる。例えば、１０対の電話線対が実用に供されている場合には、各々電話線対に各１心ずつ計１０心の光ファイバを収納することになる。これにより、良好な作業性でキセル配管にも対応して既設電話ケーブルに光ファイバ複合電話ケーブルを接続することができる。
なお、必ずしも加入者１０人全員が光ファイバ配線を希望するとは限らないので、光ファイバを複合する対象電話線対は、光配線希望加入者が使用している電話線対のみとしても構わない。
【００１０】
本発明に係る光ファイバ複合電話ケーブルは、前記光ファイバ心線の撚りピッチが前記電話線対の撚りピッチと同じであることが好ましい。
【００１１】
上記構成の光ファイバ複合電話ケーブルによれば、電話線対の隙間部分に光ファイバ心線が収まるため、外径の増加を少なくすることができる。
仮に、製造後の電話線対に、光ファイバ心線を別ピッチで撚り合わせると、電話線対の上に光ファイバ心線が乗り上げる部位が発生してケーブル外径が大きくなる。この乗り上がり部分で光ファイバに小さな曲げが加わることで、曲げによる伝送損失の悪化の虞がある。
【００１２】
本発明に係る光ファイバ複合電話ケーブルは、前記光ファイバ心線の外径が前記電話線対の外接円内に収まる寸法であることが好ましい。
なお、外接円内とは、電話線対の断面の最外径を通る仮想外接円である。
【００１３】
上記構成の光ファイバ複合電話ケーブルによれば、ケーブル外径を、光ファイバを複合していない同構造の電話ケーブルと略同等とすることができる。これにより、ケーブル入れ替え作業が完遂できる可能性が高まる。
【００１４】
本発明に係る光ファイバ複合電話ケーブルの布設方法は、前記光ファイバ複合電話ケーブルを、既設電話ケーブルの端末を切断した後に入れ替えることを特徴としている。
【００１５】
上記構成の光ファイバ複合電話ケーブルの布設方法によれば、既設電話ケーブルを切断してから、光ファイバ複合電話ケーブルを割入れる。これにより、作業中に通信回線が一時的に途絶えることになるが、入れ替え途中で通線が不可能となっても通信手段を確保することができる。
【００１６】
本発明に係る光ファイバ複合電話ケーブルの布設方法は、前記光ファイバ複合電話ケーブルを、前記既設電話ケーブルの通信が可能な状態で前記既設電話ケーブルに割入れてから、ケーブル入れ替え作業を行うことを特徴としている。
【００１７】
上記構成の光ファイバ複合電話ケーブルの布設方法によれば、既設電話ケーブルを切断せずに、２か所の被覆のみを除去して光ファイバ複合電話ケーブルを割入れ、その後で既設電話ケーブルを切断する。これにより、作業中に通信回線が途絶えることはなく、途中で通線が不可能となっても通信手段を確保することができる。
【００１８】
本発明に係る光ファイバ複合電話ケーブルの布設方法は、前記光ファイバ複合電話ケーブルを前記既設電話ケーブルに接続する際に、該光ファイバ複合電話ケーブルに内蔵されている電話線を１心ずつ捻って接続し、該接続部分を絶縁処理して、相互の通信が可能な状態とした上で、ケーブル入れ替え作業を行うことを特徴としている。
【００１９】
上記構成の光ファイバ複合電話ケーブルの布設方法によれば、電話線を１心ずつ捻って接続し、接続部分をテープ巻きにより絶縁処理して、相互の通信が可能な状態でケーブル入れ替え作業を行う。ことにより、作業中に通信回線が途絶えることはなく、途中で通線が不可能となっても通信手段を確保することができるとともに、接続部分を捻じることで引張強度を確保することができる。
【発明の効果】
【００２０】
本発明に係る光ファイバ複合電話ケーブル及び光ファイバ複合電話ケーブルの布設方法によれば、複合された光ファイバ心線がどの加入者への配線用途のものかを分かり易くすることができ、良好な作業性で既設電話ケーブルに光ファイバ複合電話ケーブルを接続できる。
また、既設電話ケーブル内に有する電話線を光ファイバ複合電話ケーブル内の電話線と接続し、既設電話ケーブルを通信可能な状態とした上でケーブル入れ替え作業を行う。したがって、途中で通線が不可能となっても通信手段を確保することができる。
【図面の簡単な説明】
【００２１】
【図１】本発明に係る第１実施形態の光ファイバ複合電話ケーブルの断面図である。
【図２】図１の光ファイバ複合電話ケーブルを適用した光ファイバ複合電話ケーブル布設方法の第１工程の概略図である。
【図３】図１の光ファイバ複合電話ケーブルを適用した光ファイバ複合電話ケーブル布設方法の第２工程の概略図である。図２の光ファイバ複合電話ケーブル布設方法の第２工程の概略図である。
【図４】図１の光ファイバ複合電話ケーブルを適用した光ファイバ複合電話ケーブル布設方法の第３工程の概略図である。
【図５】図１の光ファイバ複合電話ケーブルを適用した光ファイバ複合電話ケーブル布設方法の第４工程および本発明に係る第２実施形態の光ファイバ複合電話ケーブルの布設方法の概略図である。図２の光ファイバ複合電話ケーブル布設方法の第２工程の概略図である。
【図６】図１の光ファイバ複合電話ケーブルを適用した光ファイバ複合電話ケーブル布設方法の第５工程の概略図である。
【図７】図１の光ファイバ複合電話ケーブルを適用した光ファイバ複合電話ケーブル布設方法の第６工程の概略図である。
【図８】本発明に係る第２実施形態の光ファイバ複合電話ケーブルの断面図である。
【図９】従来の光ファイバ複合電話ケーブルの断面図である。
【発明を実施するための形態】
【００２２】
以下、本発明に係る光ファイバ複合電話ケーブル及び光ファイバ複合電話ケーブル布設方法の実施形態について図面を参照して説明する。
【００２３】
（第１実施形態）
図１に示すように、本発明の第１実施形態である光ファイバ複合電話ケーブル１０は、電話線対である１対の電話線用銅線１１，１２と、１心の光ファイバ心線１３との複合線を備えている。
具体的には、光ファイバ複合電話ケーブル１０は、例えば、外径６．５ｍｍ、厚さ０．７ｍｍのシース１４内に、銅線径０．６５ｍｍの外側に絶縁被覆を有する外径１．０５ｍｍの１対の電話線用銅線１１，１２と、被覆層を有する外径０．９ｍｍの単心の光ファイバ心線１３とを撚り合せた４対の電話線光ファイバ心線複合体１５を備えている。
【００２４】
光ファイバ複合電話ケーブル１０は、光ファイバ心線１３の撚りピッチが電話線用銅線１１，１２の撚りピッチと同じである。また、光ファイバ心線１３の外径が電話線用銅線１１，１２により形成される外接円Ａ内に収まる寸法に設定されている。
【００２５】
次に、光ファイバ複合電話ケーブル１０を適用する光ファイバ複合電話ケーブル布設方法について説明する。
【００２６】
図２に示すように、光ファイバ複合電話ケーブル布設方法の第１工程では、マンション等に既に設置されている電話配管５０の配管口５１で既設電話ケーブル５２の外被５３の所定位置５４，５５の２か所を除去する。所定位置５４，５５は、それぞれの場所で以下に記載の作業が実施できる程度に離れていればよく、例えば１ｍ程度に設定できる。
【００２７】
次に、図３に示すように、光ファイバ複合電話ケーブル布設方法の第２工程では、既設電話ケーブル５２の外被除去箇所に相当する所定位置５４，５５の銅線被覆５６のみを除去する。これにより、電話線用銅線５７，５８のそれぞれの一端部５９および他端部６０を露出させる。
【００２８】
次に、図４に示すように、光ファイバ複合電話ケーブル布設方法の第３工程では、光ファイバ複合電話ケーブル１０から引き出した電話線用銅線１１，１２の一端部１７および他端部１８を１心ずつ既設電話ケーブル５２の電話線用銅線５７，５８の一端部５９および他端部６０にそれぞれ割入れる。
このとき、光ファイバ複合電話ケーブル１０は、電話配管５０内に配線されている既設電話ケーブル５２の長さ寸法と同等の長さ寸法を有している。そして、両端の被覆１４，１６を除去して一端側の銅線１７および他端側の銅線１８がそれぞれ引き出されている。
【００２９】
第３工程により、既設電話ケーブル５２の所定位置５４で、電話線用銅線５７，５８のそれぞれの一端部５９が光ファイバ複合電話ケーブル１０の電話線用銅線１１，１２のそれぞれの一端部１７に電気的に接続される。また、既設電話ケーブル５２の所定位置５５で、電話線用銅線５７，５８のそれぞれの他端部６０が光ファイバ複合電話ケーブル１０の電話線用銅線１１，１２のそれぞれの他端部１８に電気的に接続される。
このとき、銅線１７と銅線５９の接続部分、および銅線１８と銅線６０の接続部分の引張強度を得るために、例えば、銅線同士を捻じる（ツイスト）ようにしている。
【００３０】
次に、図５に示すように、光ファイバ複合電話ケーブル布設方法の第４工程では、既設電話ケーブル５２の所定位置５４，５５に挟まれた既設電話ケーブル除去部（図４参照）６１を切断除去する。これにより、既設電話ケーブル除去部６１を除去したにも拘わらず、既設電話ケーブル５２の電話線用銅線５７，５８の一端部５９と他端部６０は、光ファイバ複合電話ケーブル１０の電話線用銅線１１，１２の一端部１７および他端部１８を介して接続されている。
【００３１】
次に、図６に示すように、光ファイバ複合電話ケーブル布設方法の第５工程では、既設電話ケーブル５２の電話線用銅線５７，５８の両端部５９，６０と光ファイバ複合電話ケーブル１０の電話線用銅線１１，１２の両端部１７，１８との接続部分にテープ巻き１９を施す（図５参照）。これにより、既設電話ケーブル５２の電話線用銅線５７，５８と光ファイバ複合電話ケーブル１０の電話線用銅線１１，１２との接続部分が被覆される。
【００３２】
次に、光ファイバ複合電話ケーブル布設方法の第６工程では、互いに接続された既設電話ケーブル５２および光ファイバ複合電話ケーブル１０の内、電話配管５０内にある既設電話ケーブル５２を牽引線とする（図５参照）。そして、牽引線として既設電話ケーブル５２を図中右側方向に引き入れることで、光ファイバ複合電話ケーブル１０を電話配管５０内に引き入れることができる。
【００３３】
続いて、図７に示すように、光ファイバ複合電話ケーブル布設方法の第７工程では、既設電話ケーブル５２を牽引線として光ファイバ複合電話ケーブル１０をマンション内の電話配管１００に引き入れた後、不要となった牽引線をコイル状に巻き取って巻回ケーブル２０として保管して置く。これにより、既設電話ケーブル５２と光ファイバ複合電話ケーブル１０との入れ替え作業が完了する。
【００３４】
上述したように、本実施形態の光ファイバ複合電話ケーブル１０によれば、１対の電話線対である銅線１１，１２に、１心の光ファイバ心線１３が複合されているので、光ファイバ心線１３がどの加入者への配線用途のものかを分かり易くすることができる。
これにより、良好な作業性でキセル配管にも対応して既設電話ケーブル５２に光ファイバ複合電話ケーブル１０を接続することができる。
【００３５】
本実施形態の光ファイバ複合電話ケーブル１０によれば、光ファイバ心線１３の撚りピッチが銅線１１，１２の撚りピッチと同じであるので、銅線１１，１２の対の隙間部分に光ファイバ心線１３が収まり、外径の増加を少なくすることができる。
【００３６】
本実施形態の光ファイバ複合電話ケーブル１０によれば、光ファイバ心線１３の外径が銅線１１，１２の外接円内に収まる寸法であるので、ケーブル外径を、光ファイバ心線１３を複合していない同構造の電話ケーブルと略同等とすることができる。これにより、ケーブル入れ替え作業が完遂できる可能性が高まる。
【００３７】
本実施形態の光ファイバ複合電話ケーブル布設方法によれば、光ファイバ複合電話ケーブル１０を、既設電話ケーブル５２の通信が可能な状態で既設電話ケーブル５２に割入れてから、ケーブル入れ替え作業を行う。即ち、既設電話ケーブル５２を切断せずに、２か所の銅線被覆５６のみを除去して光ファイバ複合電話ケーブル１０を割入れ、その後で既設電話ケーブル５２を切断する。
これにより、作業中に通信回線が途絶えることはなく、途中で通線が不可能となっても通信手段を確保することができる。
【００３８】
本実施形態の光ファイバ複合電話ケーブル布設方法によれば、光ファイバ複合電話ケーブル１０に内蔵されている電話線対である銅線１１，１２を１心ずつ捻って接続し、接続部分を絶縁処理する。そして、相互の通信が可能な状態とした上で、光ファイバ複合電話ケーブル１０を既設電話ケーブル５２に接続するケーブル入れ替え作業を行う。
ことにより、作業中に通信回線が途絶えることはなく、途中で通線が不可能となっても通信手段を確保することができるとともに、接続部分を捻じることで引張強度を確保することができる。
【００３９】
（第２実施形態）
次に、本発明の第２実施形態の光ファイバ複合電話ケーブル及び光ファイバ複合電話ケーブル布設方法について説明する。なお、上述した第１実施形態と同一構成や工程については説明を省略または簡略化して説明する。
【００４０】
図８に示すように、本発明の第２実施形態である光ファイバ複合電話ケーブル３０は、例えば外径６．５ｍｍ、厚さ０．７ｍｍのシース１４内に、銅線径０．６５ｍｍの外側に絶縁被覆を有する外径１．０５ｍｍの１対の電話線用銅線１１，１２と、被覆層を有する外径０．５ｍｍの単心の光ファイバ心線３１とを撚り合せた４対の電話線光ファイバ心線複合体１５を備えている。
【００４１】
光ファイバ複合電話ケーブル３０は、光ファイバ心線３１の撚りピッチが、電話線用銅線１１，１２の撚りピッチと同じである。また、光ファイバ複合電話ケーブル３０は、光ファイバ心線３１の外径が、電話線用銅線１１，１２の外接円Ａ内に十分に収まる銅線１１，１２の１／２径に設定されている。
【００４２】
次に、光ファイバ複合電話ケーブル３０を適用する光ファイバ複合電話ケーブル布設方法について説明する。
【００４３】
本実施形態の光ファイバ複合電話ケーブルの布設方法は、上記第１実施形態の光ファイバ複合電話ケーブルの布設方法と異なり、既設電話ケーブル５２の端末を切断した後に、ファイバ複合電話ケーブル３０の入れ替えを行う。即ち、先に電話配管５０の配管口５１付近の既設電話ケーブル５２を切断する。そして、既設電話ケーブル５２の切断部分の両端の外被５３および導線被覆５６を除去して、電話線用銅線５７，５８の両端部５９，６０を露出させる。
【００４４】
次に、図５に示すように、光ファイバ複合電話ケーブル３０から引き出した電話線用銅線１１，１２の両端部１７，１８を既設電話ケーブル５２の切断部分の電話線用銅線５７，５８の両端部５９，６０にそれぞれ接続する。このとき、銅線１７と銅線５９の接続部分、および銅線１８と銅線６０の接続部分を捻じることで引張強度を確保する。
これにより、既設電話ケーブル５２の電話線用銅線５７，５８の両端部５９，６０は、切断時に通信回線が一時的に途絶えるものの、光ファイバ複合電話ケーブル３０の電話線用銅線１１，１２の両端部１７，１８を介して接続され、通信回線は回復する。
【００４５】
なお、既設電話ケーブル５２の電話線用銅線５７，５８と光ファイバ複合電話ケーブル３０の電話線用銅線１１，１２の接続部分のテープ巻き工程、および光ファイバ複合電話ケーブル３０を電話配管５０内に引き入れる牽引工程以降は、上記第１実施形態と同じなので説明を省略する。
【００４６】
上述したように、本実施形態の光ファイバ複合電話ケーブル３０によれば、第１実施形態と同様の作用効果を奏する。特に、光ファイバ複合電話ケーブル３０では、光ファイバ心線３１の外径が、電話線用銅線１１，１２の外接円Ａ内に十分に収まる寸法に設定されているので、曲げによる伝送損失を最小限に抑えることができる。また、ケーブル入れ替え作業が完遂できる可能性を一層高めることができる。
【００４７】
本実施形態の光ファイバ複合電話ケーブルの布設方法によれば、ファイバ複合電話ケーブル３０を、既設電話ケーブル５２の端末を切断した後に入れ替えるので、作業中に通信回線が一時的に途絶えることになるが、入れ替え途中で通線が不可能となっても通信手段を確保することができる。
【００４８】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００４９】
１０、３０  光ファイバ複合電話ケーブル
１１  電話線用銅線（電話線）
１２  電話線用銅線（電話線）
１３、３１  光ファイバ心線
１９  テープ巻き
５２  既設電話ケーブル
【図１】
2011009135.tif 000003
【図２】
2011009135.tif 000004
【図３】
2011009135.tif 000005
【図４】
2011009135.tif 000006
【図５】
2011009135.tif 000007
【図６】
2011009135.tif 000008
【図７】
2011009135.tif 000009
【図８】
2011009135.tif 000010
【図９】
2011009135.tif 000011